(57)【特許請求の範囲】
【請求項１】
先端部に一体形成した封印栓をもぎ取ることによって開封されるノズル開孔を有し、このノズル開孔を通して容器内の内容物の排出を可能にする封印栓付きの注出ノズルであって、
前記封印栓は、接触部としてなる先端部を有し、その内部に、当該先端部から他方の端部に突き抜ける通路が形成され、もぎ取り後に、前記他方の端部が注出ノズルの先端部に装着されることにより、注出ノズルのノズル開孔から前記通路を経て内容物を排出する補助ノズルとしてなることを特徴とする封印栓付きの注出ノズル。
【請求項２】
前記補助ノズルは、注出ノズルの先端部に横臥した状態で一体形成されるものである請求項１に記載の注出ノズル。
【請求項３】
前記補助ノズルは、注出ノズルのノズル開孔を封印するベース部材と該ベース部材によって保持され当該ベース部材を介して注出ノズルにつながるノズル本体とからなるものである請求項１に記載の注出ノズル。
【請求項４】
前記補助ノズルは、その通路が入側および出側において径が異なるものである請求項１乃至３のいずれか一項に記載の注出ノズル。
【請求項５】
前記補助ノズルは、その通路の出側に櫛部を備えるものである請求項１乃至４のいずれか一項に記載の注出ノズル。
【請求項６】
前記補助ノズルは、注出ノズルの先端部に装着する際の相対位置を決めるストッパを備えるものである請求項１乃至５のいずれか一項に記載の注出ノズル。
【請求項７】
前記補助ノズルは、注出ノズル先端部に対して圧入嵌合によって取り付けられるものである請求項１乃至６のいずれか一項に記載の注出ノズル。
【請求項８】
前記補助ノズルは、その先端部が曲面形状であるものである請求項１乃至７のいずれか一項に記載の注出ノズル。
【発明の詳細な説明】
【０００１】
【発明の属する技術分野】
本発明は、先端部に一体形成した封印栓をもぎ取ることによって開封されるノズル開孔を有し、このノズル開孔を通して容器内の内容物の排出を可能にする封印栓付きの注出ノズルに関するものである。
【０００２】
【従来の技術】
従来から使い切り容器として、先端部に封印栓を有し、この封印栓をもぎ取ることによって開封し、容器内の内容物の排出を可能にする封印栓付きの注出ノズルを備える容器は既知であり、消費者は使用時に、封印栓をノズルの先端部からもぎ取ることによって、ノズル本体先端部を開封する。これにより、容器内の内容物は、注出ノズルを経て排出される。
【０００３】
こうした容器には、例えば、容器内の内容物として染毛剤などが充填され、使用者が容器本体の外面を押し付けることにより内容物を排出する容器、所謂、スクイーズ容器がある。
【０００４】
【発明が解決しようとする課題】
しかしながら、こうした使い切り容器を人体などの比較的接触に対して弱いものに使用する場合、封印栓をもぎ取った時にノズル先端部にバリが形成されるため、ノズル先端部が対象物に接触する際に、このバリが不用意に接触してしまうという不都合が生じる。具体的には、染毛剤などを使用する場合、ノズル先端部が頭皮に接触する際に、ノズル先端部に形成されたバリが違和感や不快感を与えることを考慮しなければならない。
【０００５】
本発明は、上述した問題点を解消するためになされたものであって、封印栓をもぎ取った時にノズル先端部に形成されるバリが対象物に接触するために生じる不都合を解消することを目的とする。
【０００６】
【課題を解決するための手段】
この課題を解決するため、第１発明に係る封印栓付きのノズルは、先端部に一体形成した封印栓をもぎ取ることによって開封されるノズル開孔を有し、このノズル開孔を通して容器内の内容物の排出を可能にするものである。
【０００７】
第１発明によれば、封印栓は、接触部としてなる先端部を有し、その内部に、当該先端部から他方の端部に突き抜ける通路が形成され、もぎ取り後に、前記他方の端部が注出ノズルの先端部に装着されることにより、そのノズル開孔から前記通路を経て内容物を排出する補助ノズルとしてなるから、注出ノズルの先端部に装着された補助ノズルが、もぎ取りによりノズル先端部に形成されるバリを被覆するため、このバリが対象物に接触することを回避できる。
【０００８】
従って第１発明は、もぎ取りによりノズル先端部に形成されるバリが対象物に接触するために生じる不都合を解消することができる。
【０００９】
第２発明に係る封印栓付きのノズルは、上記第１発明において、補助ノズルは、注出ノズルの先端部に横臥した状態で一体形成されるものである。
【００１０】
第３発明に係る封印栓付きのノズルは、上記第１発明において、補助ノズルは、注出ノズルのノズル開孔を封印するベース部材と該ベース部材によって保持され当該ベース部材を介して注出ノズルにつながるノズル本体となるものとすることができる。この場合、ベース部材をハンドルとして機能させることができるから、もぎ取り作業が容易になる。また、ノズル本体が注出ノズル先端部と別体に構成されるから、ノズル本体の形状が注出ノズル先端部の形状に規制を受けないため、ノズル本体を設計する上での自由度が大きくなる。
【００１１】
第４発明に係る封印栓付きのノズルは、上記第１乃至第３発明のいずれか一発明において、補助ノズルは、その通路が入側と出側において径が異なるものである。
【００１２】
この場合、補助ノズルの装着向きを変更することによって、噴射速度や噴射圧力を高低の２段階に選択することができる。
【００１３】
第５発明に係る封印栓付きのノズルは、上記第１乃至第４発明のいずれか一発明において、補助ノズルは、その出側に櫛部を備える。
【００１４】
この場合、粗い表面形状を有する対象物、特に、毛髪や頭皮などに容器内の内容物を効果的に塗布することができる。
【００１５】
第６発明に係る封印栓付きのノズルは、上記第１乃至第５発明のいずれか一発明において、補助ノズルは、注出ノズルの先端部に装着する際の相対位置を決めるストッパを備える。
【００１６】
この場合、補助ノズルを注出ノズルの先端部に適切な位置に装着することができる。
【００１７】
第７発明に係る封印栓付きのノズルは、上記第１乃至第６発明のいずれか一発明において、補助ノズルは、注出ノズル先端部に対して圧入嵌合によって取り付けられるものである。
【００１８】
この場合、補助ノズルを注出ノズルの先端部に対して容易に装着することができる。
【００１９】
第８発明に係る封印栓付きのノズルは、上記第１乃至第７発明のいずれか一発明において、補助ノズルは、その先端部が曲面形状である。
【００２０】
この場合、補助ノズルの先端部が曲面形状であるから、この頂部が対象物に接触するために生じる不都合を解消することができる。
【００２１】
【発明の実施の形態】
以下、本発明の実施の形態を、添付図面に基づき詳細に説明する。
【００２２】
図１および図２（ａ），（ｂ）は、本発明に係る、封印栓付きの注出ノズルの第１の実施形態であって、図１は封印栓を開封する前の状態を示す斜視図、図２は封印栓の開封前後を示す一部断面図である。なお、図２（ａ）は、封印栓を開封する前の状態を示す一部断面図、図２（ｂ）は開封後の封印栓を装着した状態を示す一部断面図である。
【００２３】
注出ノズル１１０は、取り付け座部１１２に一体成形され、この取り付け座部１１２を介してスクイーズ容器本体２１０の口部２１１にネジ止めなどによって取り付けられている。注出ノズル１１０は、その先端部１１０ｅに封印栓３１０が一体形成され、この封印栓３１０をもぎ取ることによって注出ノズル先端部１１０ｅを開封し、容器本体２１０内の内容物をノズル開孔１１１を経て外部に排出可能とする。
【００２４】
封印栓３１０は、その内部に通路３１１が形成され、もぎ取り後は注出ノズル１１０の先端部１１０ｅに装着される。装着方法としては、封印栓３１０が使用時に注出ノズル先端部１１０ｅから脱落しない方法であればよく、例えば、ネジ止めや圧入嵌合がある。特に、補助ノズル３１０を注出ノズル先端部１１０ｅに対して圧入嵌合によって装着した場合、補助ノズル３１０を注出ノズル先端部１１０ｅに対して容易に装着することができる。
【００２５】
また、補助ノズル３１０の先端部、即ち、対象物との接触部３１０ｅは、滑らかな曲面形状、例えば、角面にＲの付いた形状を有し、この接触部３１０ｅは、接触に弱い対象物、例えば、皮膚や頭皮などに接触した際に、使用者に違和感や不快感を与えない形状とする。
【００２６】
次に、第１実施形態の作用を説明する。なお、本実施形態では容器本体２１０内の内容物が育毛剤であって、頭皮を対象物とする場合について説明する。
【００２７】
消費者は、使用時に、注出ノズル１１０と一体形成された図２（ａ）に示した状態の封印栓３１０を注出ノズル先端部１１０ｅからもぎ取ることによって、注出ノズル先端部１１０ｅを開封し、そのもぎ取った封印栓３１０を図２（ｂ）に示す如く、注出ノズル先端部１１０ｅの外面に圧入嵌合させることによって装着する。その後、使用者は、補助ノズルの接触部３１０ｅを頭皮に接触させ、使用者が容器本体２１０の外面を押し付けることにより、容器本体２１０内の育毛剤がノズル開孔１１１を経て補助ノズル通路３１１から頭皮に直接排出される。
【００２８】
この実施形態によれば、封印栓３１０は、そのもぎ取り後に注出ノズル１１０の先端部１１０ｅに装着され、注出ノズル１１０のノズル開孔１１１を経て補助ノズル通路３１１から育毛剤を排出する補助ノズルよりなるから、補助ノズル３１０が、この補助ノズル３１０をもぎ取った時にノズル先端部１１０ｅに形成されるバリを被覆するため、このバリが頭皮に接触することを回避できる。
【００２９】
従って、本実施形態は、封印栓３１０をもぎ取った時にノズル先端部１１０ｅに形成されるバリが頭皮に接触するために生じる違和感や不快感などの不都合を解消する。加えて、補助ノズルの接触部３１０ｅを滑らかな曲面形状としたことで、この接触部３１０ｅが頭皮に接触する際に生じる違和感や不快感などの不都合を解消できる。
【００３０】
また、本実施形態において、補助ノズル３１０の内部には、注出ノズル１１０の先端部１１０ｅに装着する際の相対位置を決めるストッパとして、絞り形状部分３１０ｓが形成されている。この場合、ストッパ３１０ｓが補助ノズル３１０を注出ノズル先端部１１０ｅの適切な位置に装着することができる。
【００３１】
図３（ａ），（ｂ）および図４（ａ），（ｂ）は、本発明に係る、封印栓付きの注出ノズルの第２の実施形態であって、図３は封印栓の開封前後を示す斜視図、図４は封印栓の開封前後を示す一部断面図である。なお、図３（ａ）は、封印栓を開封する前の状態を示す斜視図、図３（ｂ）は、開封後の封印栓を装着した状態を示す斜視図である。図４（ａ）は、封印栓を開封する前の状態を示す一部断面図、図４（ｂ）は、開封後の封印栓を装着した状態を示す一部断面図である。
【００３２】
以下、第２の実施形態を図３および図４を参照して詳細に説明する。なお、第１実施形態と同一部分は同一符号をもってその説明を省略する。
【００３３】
注出ノズル１２０は、取り付け座部１２２に一体成形され、この取り付け座部１２２を介して容器本体２１０の口部２１１に取り付けられている。注出ノズル１２０は、その先端部１２０ｅに封印栓３２０が一体形成されている。
【００３４】
封印栓３２０は、その内部に通路３２１が形成され、開封後は注出ノズル１２０の先端部１２０ｅに装着される補助ノズルよりなる。補助ノズル通路３２１は、図４（ａ）に示す如く、その入側および出側に径φが異なる通路、即ち、入側径φ1と出側径φ2とが異なることが好ましい。
【００３５】
なお、補助ノズル３２０の先端部、即ち、対象物との接触部３２０ｅは、第１実施形態と同様、滑らかな曲面形状を有し、この接触部３２０ｅは、接触に弱い対象物、例えば、皮膚や頭皮に接触した際に、使用者に違和感や不快感を与えない形状とする。また、補助ノズル３２０を注出ノズル１２０に装着する方法としては、第１実施形態と同様、例えば、ネジ止めや圧入嵌合がある。
【００３６】
次に、第２実施形態の作用を説明する。なお、本実施形態では容器本体２１０内の内容物が育毛剤であって、頭皮を対象物とする場合について説明する。
【００３７】
消費者は、使用時に、注出ノズル１２０と一体形成された図３（ａ）または図４（ａ）に示した状態の封印栓３２０を注出ノズル先端部１２０ｅからもぎ取ることによって、注出ノズル先端部１２０ｅを開封し、そのもぎ取った封印栓３２０を図３（ｂ）または図４（ｂ）に示す如く、ノズル開孔１２１内に圧入嵌合させることによって注出ノズル先端部１２０ｅに装着する。その後、使用者は、補助ノズルの接触部３２０ｅを頭皮に接触させ、使用者が容器本体２１０の外面を押し付けることにより、育毛剤がノズル開孔１２１を経て補助ノズル通路３２１から頭皮に直接排出する。
【００３８】
ところで、本実施形態において、封印栓３２０を注出ノズル先端部１２０ｅに装着する際、使用者は、補助ノズル３２０の装着向きを変更することによって、補助ノズル接触部３２０ｅの内径寸法を２段階に選択することができる。
【００３９】
具体的には、入側径φ1が出側径φ2に対して小さくなる径寸法とした場合、補助ノズル３２０を出側径φ2から注出ノズル先端部１２０ｅに装着すると、補助ノズル通路３２１が接触部３２０ｅ付近で絞り形状となり、噴射速度や噴射圧力が大きくなるため、マッサージ効果が得られる。逆に、補助ノズル３２０を入側径φ1から注出ノズル先端部１２０ｅに装着すると、補助ノズル通路３２１が接触部３２０ｅ付近で拡大形状となり、噴射速度や噴射圧力が小さくなるため、頭皮に刺激を与えることなく、大きな液量が得られる。
【００４０】
この実施形態の場合、補助ノズル３２０は、補助ノズル通路３２１の入側径φ1と出側径φ2とが異なる形状であるから、第１実施形態で述べた作用効果に加えて、補助ノズル３２０の装着向きを変更することによって、噴射速度や噴射圧力を高低の２段階に選択することができる。
【００４１】
また、本実施形態においては、補助ノズル３２０の外部に、注出ノズル先端部１２０ｅに装着する際の相対位置を決めるストッパとして、リブ形状部分３２０ｓが形成されている。この場合、ストッパ３２０ｓが補助ノズル３２０を注出ノズル先端部１２０ｅの適切な位置に装着することができる。
【００４２】
図５（ａ），（ｂ）および図６（ａ），（ｂ）は、本発明に係る、封印栓付きの注出ノズルの第３の実施形態であって、図５は封印栓の開封前後を示す斜視図、図６は封印栓の開封前後を示す一部断面図である。なお、図５（ａ）は、封印栓を開封する前の状態を示す斜視図、図５（ｂ）は、開封後の封印栓を装着した状態を示す斜視図である。図６（ａ）は、封印栓を開封する前の状態を示す一部断面図、図６（ｂ）は、開封後の封印栓を装着した状態を示す一部断面図である。
【００４３】
以下、第３の実施形態を図５および図６と、後述の図７とを参照して詳細に説明する。
【００４４】
注出ノズル１３０は、取り付け座部１３２に一体成形され、この取り付け座部１３２を介してスクイーズ容器本体２２０の口部２２１に取り付けられている。注出ノズル１３０は、その先端部１３０ｅに封印栓３３０が一体形成される。
【００４５】
封印栓３３０は、その内部に通路３３１が形成され、もぎ取り後は注出ノズル１３０の先端部１３０ｅに装着される補助ノズルよりなる。なお、補助ノズル３２０を注出ノズル１２０に装着する方法としては、第１実施形態と同様、例えば、ネジ止めや圧入嵌合がある。
【００４６】
補助ノズル３３０は、その通路３３１の出側である接触部３３０ｅに櫛部３３２を備える。図７は、接触部３３０の櫛部３３２を拡大して示した一部透視図である。櫛部３３２は、この櫛形状を構成する複数の突起３３３のうち、中央付近に配した数個がアーチ形状３３４を備えることにより、補助ノズル通路３３１に連通する。これにより、容器本体２２０内の内容物は、ノズル開孔１３１を経て補助ノズル通路３３１から櫛部３３２に排出される。
【００４７】
次に、第３実施形態の作用を説明する。なお、本実施形態では容器本体２２０内の内容物が染毛剤であって、毛髪を対象物とする場合について説明する。
【００４８】
消費者は、使用時に、注出ノズル１３０と一体形成された図５（ａ）または図６（ａ）に示した状態の封印栓３３０を注出ノズル先端部１３０ｅからもぎ取ることによって、注出ノズル先端部１３０ｅを開封し、そのもぎ取った封印栓３３０を図５（ｂ）または図６（ｂ）に示す如く、注出ノズル先端部１３０ｅに装着する。その後、使用者は、補助ノズルの櫛部３３２を毛髪に接触させ、使用者が容器本体２２０の外面を押し付けることにより、染毛剤がノズル開孔１３１を経て補助ノズル通路３３１から毛髪に直接排出される。
【００４９】
この実施形態の場合、補助ノズル３３０は、補助ノズル通路３３１の出側である接触部３３０ｅに櫛部３３２を備えるから、第１実施形態で述べた作用効果に加えて、染毛剤を毛髪に効果的に塗布することができる。
【００５０】
また、本実施形態においては、補助ノズル３３０の内部に、注出ノズル先端部１３０ｅに装着する際の相対位置を決めるストッパとして、段差形状部分３３０ｓが形成されている。この場合、ストッパ３３０ｓが補助ノズル３３０を注出ノズル先端部１３０ｅの適切な位置に装着することができる。
【００５１】
なお、第３実施形態は、上述した第１実施形態または第２実施形態と組み合わせて実施することも可能である。
【００５２】
図８〜図１０は、本発明に係る、封印栓付きの注出ノズルの第４の実施形態であって、図８は封印栓の開封前を示す斜視図、図９は封印栓の開封前後を示す斜視図、図１０は封印栓の開封前後を示す一部断面図である。なお、図９（ａ）は、封印栓を開封する前の状態を示す一部断面図、図９（ｂ）は、開封後の封印栓を装着した状態を示す一部断面図である。図１０（ａ）は、封印栓を開封する前の状態を示す斜視図、図１０（ｂ）は、開封後の封印栓を装着した状態を示す上面図である。
【００５３】
以下、第４の実施形態を図８〜図１０を参照して詳細に説明する。
【００５４】
注出ノズル１４０は、取り付け座部１４２に一体成形され、この取り付け座部１４２を介してスクイーズ容器本体２３０の口部２３１にネジ止めなどによって取り付けられている。注出ノズル１４０は、その先端部１４０ｅに封印栓３４０が一体形成され、この封印栓３４０をもぎ取ることによって注出ノズル先端部１４０ｅを開封し、容器本体２３０内の内容物をノズル開孔１４１を経て外部に排出可能とする。
【００５５】
補助ノズル３４０は、注出ノズル１４０のノズル開孔１４１を封印するベース部材３６０と、この部材３６０によって保持され注出ノズル１４０につながるノズル本体３５０とからなる。
【００５６】
ベース部材３６０は、注出ノズル開孔１４１に沿って延在したほぼ馬蹄形のリブ３６１を形成する。またノズル本体３５０は、ベース部材３６０とリム３６２を介して一体に形成され、ノズル本体３５０をリム３６２から切り離すことによってベース部材３６０から取り去ることができる。
【００５７】
ノズル本体３５０は、その内部に通路３５１が形成され、ベース部材３６０からの切り離し後は注出ノズル１４０の先端部１４０ｅに装着される。なお、ノズル本体３５０を注出ノズル１４０に装着する方法としては、第１実施形態と同様、例えば、ネジ止めや圧入嵌合がある。
【００５８】
また、ノズル本体３５０の先端部、即ち、対象物との接触部３５０ｅは、第１実施形態と同様、滑らかな曲面形状を有し、この接触部３５０ｅは、例えば、皮膚や頭皮に接触した際に、使用者に違和感や不快感を与えない形状とする。なお、ノズル本体３５０を注出ノズル１４０に装着する方法としては、第１実施形態と同様、例えば、ネジ止めや圧入嵌合がある。
【００５９】
次に、第４実施形態の作用を説明する。なお、本実施形態では容器本体２３０内の内容物が育毛剤であって、頭皮を対象物とする場合について説明する。
【００６０】
消費者は、使用時に、注出ノズル１４０と一体形成された図９（ａ）に示した状態のベース部材３６０を注出ノズル先端部１４０ｅからもぎ取ることによって、注出ノズル先端部１４０ｅを開封する。そして、もぎ取ったベース部材３６０からさらに、ノズル本体３５０を切り外し、このノズル本体３５０を図９（ｂ）に示す如く、注出ノズル先端部１１０ｅの外面に圧入嵌合することによって装着する。
【００６１】
その後、使用者は、ノズル本体３５０の接触部３５０ｅを頭皮に接触させ、使用者が容器本体２３０の外面を押し付けることにより、育毛剤がノズル開孔１４１を経て補助ノズル通路３５１から頭皮に直接排出される。
【００６２】
この実施形態の場合、ベース部材のリブ３６１はハンドルとして機能させることができるから、第１実施形態の作用効果に加えて、補助ノズル３４０のもぎ取り作業が容易になる。また、ノズル本体３５０が注出ノズル先端部１４０ｅと別体に構成されるから、ノズル本体３５０の形状が注出ノズル先端部１４０ｅの形状に規制を受けないため、ノズル本体３５０を設計する上での自由度が大きくなる。
【００６３】
また、本実施形態において、ノズル本体３５０の内部には、注出ノズル先端部１４０ｅに装着する際の相対位置を決めるストッパとして、絞り形状部分３５０ｓが形成され、また、注出ノズル１４０の外部にも、注出ノズル先端部１４０ｅに装着する際の相対位置を決めるストッパとして、段差形状部分１４０ｓが形成されている。この場合、ストッパ３５０ｓが補助ノズル３５０を注出ノズル先端部１４０ｅの適切な位置に装着することができる。
【００６４】
なお、第４実施形態は、上述した第１実施形態、第２実施形態または第３実施形態と組み合わせて実施することも可能である。
【００６５】
上述した実施例それぞれは、請求の範囲において、様々な変更が可能であって、例えば、内容物は染毛剤や育毛剤に限らず、皮膚を対象物にする医療用塗布剤や、比較的接触に弱い対象物を接着するための接着剤であっても良い。また、注出ノズルは、容器本体と別体ではなく、例えば、食品関係などで取り扱われる注出ノズルが容器本体に一体成形された容器であっても良い。さらに容器の形態は、スクイーズ容器に限るものではない。
【図面の簡単な説明】
【図１】本発明の第１実施形態であって、封印栓を開封する前の状態を示す斜視図である。
【図２】上記第１実施形態であって、（ａ）は封印栓を開封する前の状態を示す一部断面図，（ｂ）は封印栓を開封した後の状態を示す一部断面図である。
【図３】本発明の第２実施形態であって、（ａ）は封印栓を開封する前の状態を示す斜視図，（ｂ）は封印栓を開封した後の状態を示す斜視図である。
【図４】上記第２実施形態であって、（ａ）は封印栓を開封する前の状態を示す一部断面図，（ｂ）は封印栓を開封した後の状態を示す一部断面図である。
【図５】本発明の第３実施形態であって、（ａ）は封印栓を開封する前の状態を示す斜視図，（ｂ）は封印栓を開封した後の状態を示す斜視図である。
【図６】上記第３実施形態であって、（ａ）は封印栓を開封する前の状態を示す一部断面図，（ｂ）は封印栓を開封した後の状態を示す一部断面図である。
【図７】上記第３実施形態であって、補助ノズルの櫛部を拡大して示した一部透視図である。
【図８】本発明の第４実施形態であって、封印栓を開封する前の状態を示す斜視図である。
【図９】上記第４実施形態であって、（ａ）は、封印栓を開封前の状態を示す一部断面図、（ｂ）は、封印栓を開封後の封印栓を装着した状態を示す一部断面図である。
【図１０】上記第４実施形態であって、（ａ）は、封印栓を開封する前の状態を示す上面図、（ｂ）は、封印栓を開封した後の状態を示す上面図である。
【符号の説明】
１１０  注出ノズル
１１１  ノズル開孔
１１２  取り付け座部
１２０  注出ノズル
１２１  ノズル開孔
１２２  取り付け座部
１３０  注出ノズル
１３１  ノズル開孔
１３２  取り付け座部
１４０  注出ノズル
１４０ｓ  ストッパ
１４１  ノズル開孔
１４２  取り付け座部
２１０  容器本体
２１１  容器口部
２２０  容器本体
２２１  容器口部
２３０  容器本体
２３１  容器口部
３１０  封印栓（補助ノズル）
３１０ｅ  接触部（頂部）
３１０ｓ  ストッパ
３１１  通路
３２０  封印栓（補助ノズル）
３２０ｅ  接触部（頂部）
３２０ｓ  ストッパ
３２１  通路
３３０  封印栓（補助ノズル）
３３０ｅ  接触部（頂部）
３３０ｓ  ストッパ
３３１  通路
３３２  櫛部
３４０  封印栓
３５０  補助ノズル
３５０ｅ  接触部（頂部）
３５０ｓ  ストッパ
３５１  通路
３６０  リブ（ベース部材）
３６１  リム
φ1  入側径（通路）
φ2  出側径（通路）
【図１】
0003958512.tif 000002
【図２】
0003958512.tif 000003
【図３】
0003958512.tif 000004
【図４】
0003958512.tif 000005
【図５】
0003958512.tif 000006
【図６】
0003958512.tif 000007
【図７】
0003958512.tif 000008
【図８】
0003958512.tif 000009
【図９】
0003958512.tif 000010
【図１０】
0003958512.tif 000011